(57)【要約】【課題】スリーブを簡単にかつ正確に型枠内に配設することができるスリーブ保持具を提供すること。【解決手段】鉄筋１６に係合固定される断面略Ｃ字状のクリップ部１２と、配管用スリーブ１８を前記鉄筋１６と直交する方向に保持する略Ｃ字状のスリーブ保持部１３と、前記クリップ部１２とスリーブ保持部１３とを所定の間隔をおいて連結する連結部１４とを備えており、前記スリーブ保持部１３が上方に向けて開口していることを特徴とする。【選択図】  図１
2004244986.tif 000002
【特許請求の範囲】
【請求項１】
鉄筋に係合固定される断面略Ｃ字状のクリップ部と、配管用スリーブを前記鉄筋と直交する方向に保持する略Ｃ字状のスリーブ保持部と、前記クリップ部とスリーブ保持部とを所定の間隔をおいて連結する連結部とを備えており、前記スリーブ保持部が上方に向けて開口していることを特徴とするスリーブ保持具。
【請求項２】
スリーブ保持部が合成樹脂により構成されていて、前記スリーブ保持部が合成樹脂由来の弾性力によって配管用スリーブを保持するようにしたことを特徴とする請求項１記載のスリーブ保持具。
【請求項３】
スリーブ保持部の開口縁部に折返部が形成されていることを特徴とする請求項１または２記載のスリーブ保持具。
【請求項４】
クリップ部が合成樹脂により構成されていて、前記クリップ部が、合成樹脂由来の弾性力によって鉄筋に係合固定されることを特徴とする請求項１記載のスリーブ保持具。
【請求項５】
クリップ部の周面両端部に突部が設けられていて、該クリップ部が鉄筋に係合固定された状態で、前記突部間に結束線を掛け回してクリップ部と鉄筋とを結束するようにしたことを特徴とする請求項１または４記載のスリーブ保持具。
【請求項６】
スリーブ保持部とクリップ部と連結部とが一体に成形されていることを特徴とする請求項１記載のスリーブ保持具。
【発明の詳細な説明】
【０００１】
【発明の属する技術分野】
本発明は、例えば布基礎コンクリート、コンクリート梁、あるいはコンクリート柱などの鉄筋コンクリート構造物内に給排水設備や電気設備などの配管や配線を行う貫通孔を形成するためのスリーブを埋設固定する際に使用するスリーブ保持具に関する。詳細には、スリーブを簡単にかつ正確に型枠内に配設することができるスリーブ保持具に関する。
【０００２】
【従来の技術】
従来のスリーブ保持具１としては、図４に示すように、鉄筋６に係合固定される断面略Ｃ字状のクリップ部２と、配管用スリーブ８を前記鉄筋６と直交する方向に保持する略Ｃ字状のスリーブ保持部３と、前記クリップ部２とスリーブ保持部３とを所定の間隔をおいて連結する連結部４とを備えたものがあった（例えば特許文献１参照）。
【０００３】
このスリーブ保持具１にあっては、クリップ部２を鉄筋６に係合固定し、スリーブ８をスリーブ保持部３に取り付けた後、スリーブ８の両開口端に型枠（図示しない）の内側面を当てて固定し、この後、型枠（図示しない）内にコンクリートを打設するという過程を経て貫通孔を形成した鉄筋コンクリート構造物が打設されていた。
【０００４】
【特許文献１】
特開２００２−４７７９６号公報（特許請求の範囲、第２〜４頁、図１）
【０００５】
【発明が解決しようとする課題】
ところが、このスリーブ保持具１にあっては、スリーブ保持部３が側方に開口していた。このため、作業者は、スリーブ保持部３の位置まで腰を屈めて、スリーブ保持部３側方の開口３ｂからスリーブ８を嵌め込まなければならなかった。
【０００６】
しかも、スリーブ８のスリーブ保持部３への取付作業は、配筋を組み上げた後、型枠（図示しない）の片側を建て込んだ状態で行う場合もあり、この場合、スリーブ保持部３側方の開口３ｂからのスリーブ８の嵌め込み作業は大変に煩雑であった。
【０００７】
また、このスリーブ保持具１にあっては、管径の大きなスリーブ８をスリーブ保持部３内に嵌め込む場合、スリーブ保持部３の開口縁部に形成した折返部３ａ間を針金や紐等で結束してスリーブ８の保持性を高めていたのであるが、この場合、スリーブ保持部３側方の折返部３ａ間を結束することになるので、その結束作業は煩雑をきわめていた。
【０００８】
本発明は、このような問題に鑑みなされたものであり、スリーブを簡単にかつ正確に型枠内に配設することができるスリーブ保持具を提供することを目的とするものである。
【０００９】
【課題を解決するための手段】
上記目的を達成するため、請求項１記載の発明は、鉄筋に係合固定される断面略Ｃ字状のクリップ部と、配管用スリーブを前記鉄筋と直交する方向に保持する略Ｃ字状のスリーブ保持部と、前記クリップ部とスリーブ保持部とを所定の間隔をおいて連結する連結部とを備えており、前記スリーブ保持部が上方に向けて開口していることを特徴とするスリーブ保持具をその要旨とした。
【００１０】
請求項２記載の発明は、スリーブ保持部が合成樹脂により構成されていて、前記スリーブ保持部が合成樹脂由来の弾性力によって配管用スリーブを保持するようにしたことを特徴とする請求項１記載のスリーブ保持具をその要旨とした。
【００１１】
請求項３記載の発明は、スリーブ保持部の開口縁部に折返部が形成されていることを特徴とする請求項１または２記載のスリーブ保持具をその要旨とした。
【００１２】
請求項４記載の発明は、クリップ部が合成樹脂により構成されていて、前記クリップ部が、合成樹脂由来の弾性力によって鉄筋に係合固定されることを特徴とする請求項１記載のスリーブ保持具をその要旨とした。
【００１３】
請求項５記載の発明は、クリップ部の周面両端部に突部が設けられていて、該クリップ部が鉄筋に係合固定された状態で、前記突部間に結束線を掛け回してクリップ部と鉄筋とを結束するようにしたことを特徴とする請求項１または４記載のスリーブ保持具をその要旨とした。
【００１４】
請求項６記載の発明は、スリーブ保持部とクリップ部と連結部とが一体に成形されていることを特徴とする請求項１記載のスリーブ保持具をその要旨とした。
【００１５】
【発明の実施の形態】
以下、本発明のスリーブ保持具を図面に示した一実施の形態に従ってさらに詳しく説明する。図１および図２に示すように、本発明のスリーブ保持具１１は、クリップ部１２とスリーブ保持部１３と連結する連結部１４とを備えている。
【００１６】
図１に示すスリーブ保持具１１は、クリップ部１２、スリーブ保持部１３および連結部１４が、ポリプロピレン、ポリスチレン、スチレン−ブタジエン−アクリロニトリル共重合体（ＡＢＳ）、スチレン−アクリロニトリル共重合体（ＡＳ）、アクリロニトリル−ブタジエンゴム（ＮＢＲ）、スチレン−ブタジエンゴム（ＳＢＲ）、硬質ゴムなどの合成樹脂により構成され、それらが一体に成形されている。
【００１７】
クリップ部１２は、円筒の一部を開口して鉄筋１６に装着し得る断面略Ｃ字状になしたものである。クリップ部１２の外径は、鉄筋１６の内径よりもやや小さくなるように設けられており、このクリップ部１２を鉄筋１６に嵌め込んだとき、クリップ部１２を構成する合成樹脂由来の弾性力によって鉄筋１６に係合固定されるようになっている。尚、図１に示す例では、クリップ部１２を合成樹脂により構成したが、これに限らず鉄板などの金属製の薄板で構成してもよい。また図１に示す例では、クリップ部１２の開口縁部に折返部１２ａが形成されていて、鉄筋１６に容易に嵌め込むことができるようになっている。
【００１８】
また、クリップ部１２の周面両端部には突部２２を設けることもできる。この場合、該クリップ部１２が鉄筋１６に係合固定された状態で、前記突部２２間に結束線２１を掛け回してクリップ部１２と鉄筋１６とを結束することができ、これにより、スリーブ１８および打設されたコンクリートの重みによって、クリップ部１２が鉄筋１６から外れてしまうのを防止することができる。
【００１９】
スリーブ保持部１３は、前記クリップ部１２の側方に連結部１４を介して設けられている。このスリーブ保持部１３は、断面略Ｃ字状をなしており、その外径は、スリーブ１８の内径よりもやや小さくなるように設けられており、このスリーブ保持部１３にスリーブ１８を嵌め込んだとき、スリーブ保持部１３を構成する合成樹脂由来の弾性力によって、スリーブ１８の外周面を鉄筋１６と直交する方向に保持するようになっている。またこのスリーブ保持部１３の開口１３ｂは上方に向けて開口していて、スリーブ１８を上方より嵌め込むことができるようになっている。また、このスリーブ保持部１３の開口縁部には折返部１３ａが形成されていて、スリーブ１８を容易に嵌め込むことができるようになっている。このスリーブ保持部１３には、径の大きなスリーブ１８を嵌め込むことができ、この場合、スリーブ１８を嵌め込んだ後、開口縁部の折返部１３ａ間に紐等をかけて開口１３ｂを閉じることで、スリーブ１８が外れないように確実に保持することができる。尚、図１に示す例では、スリーブ保持部１３を合成樹脂により構成したが、これに限らず鉄板などの金属製の薄板で構成してもよい。
【００２０】
連結部１４は、前記クリップ部１２とスリーブ保持部１３とを連結する部材である。また連結部１４は、クリップ部１２とスリーブ保持部１３とを所定の間隔に保持する機能を有しており、連結部１４の長さ分だけ、鉄筋に対するコンクリートのかぶり厚さが確保されるようになっている。
【００２１】
次に、上記の如く構成したスリーブ保持具を使用して家屋建物の布基礎コンクリート内にスリーブを埋設固定する例を説明する。図２および図３に示すように、一対の型枠パネル１５、１５の内側には複数の鉄筋１６が型枠パネル１５、１５と平行するように約２０ｃｍの間隔で立設される。また、これら複数の鉄筋１６には、型枠パネル１５、１５と平行して横方向に複数の補助用鉄筋１７が連結される。
【００２２】
このようにして、複数の鉄筋１６および複数の補助用鉄筋１７を連結して配筋を組み上げた後、布基礎コンクリートの給排水設備や電気設備などの配管や配線を行う貫通孔を形成する予定位置に、紙管や塩ビ管からなる円筒状のスリーブ１８が配設される。
【００２３】
本発明のスリーブ保持具１１の場合、前記一対の型枠パネル１５、１５の内側に立設される複数の鉄筋１６にクリップ部１２を嵌め込んで該クリップ部１２を鉄筋１６に係合固定させる。これにより、スリーブ保持具１１の鉄筋１６への取付は完了するのである。この場合、クリップ部１２に連結部１４を介して連結されているスリーブ保持部１３の向きを型枠パネル１５、１５と平行するように調整する。
【００２４】
次いで、スリーブ保持部１３の上方に開口する開口１３ｂに上方よりスリーブ１８を嵌め込むのである。本発明のスリーブ保持具１１の場合、スリーブ保持部１３の開口１３ｂが上方に開口しているため、上方よりスリーブ１８を押し込んでスリーブ保持部１３内に嵌め込むだけでよく、スリーブ１８をスリーブ保持部１３内に嵌め込むために身を屈めたりすることもなく、簡単で確実なスリーブ１８の配設作業ができるようになっている。
【００２５】
尚、スリーブ保持部１３に径の大きなスリーブ１８を嵌め込む場合、スリーブ１８を嵌め込んだ後、開口縁部の折返部１３ａ間に紐等をかけて開口１３ｂを閉じることで、スリーブ１８が外れないように確実に保持することができる。
【００２６】
この後、スリーブ１８両端の開口面を一対の型枠パネル１５、１５の内面に当接させ、この状態で一対の型枠パネル１５、１５の内側にコンクリートを打設し、硬化させることで、図３に示すように、布基礎コンクリート１９内に配管や配線を行うための貫通孔２０を形成することができる。
【００２７】
尚、本発明の範囲は、上記実施形態に限定されず、「特許請求の範囲」に記載された範囲で自由に変更することができる。
【００２８】
【発明の効果】
本発明のスリーブ保持具にあっては、鉄筋に係合固定される断面略Ｃ字状のクリップ部と、配管用スリーブを前記鉄筋と直交する方向に保持する略Ｃ字状のスリーブ保持部と、前記クリップ部とスリーブ保持部とを所定の間隔をおいて連結する連結部とを備えており、前記スリーブ保持部が上方に向けて開口していることから、スリーブを簡単にかつ正確に型枠内に配設することができる。
【図面の簡単な説明】
【図１】本発明のスリーブ保持具によってスリーブを型枠内に保持した状態を示す正面図。
【図２】本発明のスリーブ保持具によってスリーブを型枠内に保持する過程を示す斜視図。
【図３】貫通孔を形成した鉄筋コンクリート構造物を示す斜視図。
【図４】従来のスリーブ保持具を示す正面図。
【符号の説明】
１２・・・クリップ部
１２ａ・・・折返部
１３・・・スリーブ保持部
１３ａ・・・折返部
１３ｂ・・・開口
１４・・・連結部
１５・・・型枠パネル
１６・・・鉄筋
１８・・・スリーブ
【図１】
2004244986.tif 000003
【図２】
2004244986.tif 000004
【図３】
2004244986.tif 000005
【図４】
2004244986.tif 000006